(57)【要約】【課題】自動取引装置を旧紙幣と新紙幣とを並行使用する環境に容易に適合させる手段を提供する。【解決手段】紙幣入出金部を備えた自動取引装置の主制御部に、紙幣入出金部に入金される新紙幣の割合を監視する入金新紙幣監視ステップと、紙幣入出金部の金種別入出金庫に収納している新紙幣の割合を監視する収納新紙幣監視ステップと、同一金種の新紙幣と旧紙幣とを同一の金種別入出金庫に収納する同一金種新旧紙幣収納ステップと、入金新紙幣と収納新紙幣の割合に応じて金種別入出金庫に収納する紙幣の金種を変更して紙幣運用モードを切替える紙幣運用モード切替ステップとを実行させる。【選択図】        図１３
2004252941.tif 000002
【特許請求の範囲】
【請求項１】
紙幣入出金部を備えた自動取引装置において、
新紙幣と旧紙幣との流通割合に応じて紙幣運用モードを切替えることにより新紙幣と旧紙幣とを並行使用する取引を行うことを特徴とする自動取引装置。
【請求項２】
請求項１において、
前記紙幣運用モードが、新旧紙幣混在モードと、新紙幣少量モードと、新紙幣多量モードと、新紙幣モードとからなることを特徴とする自動取引装置。
【請求項３】
請求項１または請求項２において、
係員操作部を設け、前記紙幣運用モードの切替を、前記係員操作部に表示した複数の紙幣運用モードから選択して設定することを特徴とする自動取引装置。
【請求項４】
請求項１、請求項２または請求項３において、
監視情報端末に接続し、前記紙幣運用モードの切替を、前記監視情報端末から設定することを特徴とする自動取引装置。
【請求項５】
請求項１から請求項３または請求項４において、
主制御部が、前記紙幣運用モードの切替を、前記紙幣入出金部に入金される新紙幣の割合と収納している新紙幣の割合とに応じて自動的に切替えて設定することを特徴とする自動取引装置。
【請求項６】
請求項１から請求項４または請求項５において、
前記紙幣入出金部に金種別入出金庫を設け、同一金種の新紙幣と旧紙幣とを同一の前記金種別入出金庫に収納することを特徴とする自動取引装置。
【請求項７】
請求項２から請求項５または請求項６において、
前記新旧紙幣混在モードの出金時に、新紙幣を優先的に出金することを特徴とする自動取引装置。
【請求項８】
紙幣入出金部を備えた自動取引装置の主制御部に、
前記紙幣入出金部に入金される新紙幣の割合を監視する入金新紙幣監視ステップと、
前記紙幣入出金部の金種別入出金庫に収納している新紙幣の割合を監視する収納新紙幣監視ステップと、
同一金種の新紙幣と旧紙幣とを同一の金種別入出金庫に収納する同一金種新旧紙幣収納ステップと、
前記入金新紙幣と収納新紙幣の割合に応じて、前記金種別入出金庫に収納する紙幣の金種を変更して紙幣運用モードを切替える紙幣運用モード切替ステップとを実行させることを特徴とする自動取引装置のプログラム。
【発明の詳細な説明】
【０００１】
【発明の属する技術分野】
本発明は、金融機関等に設置された自動取引装置等の自動取引装置であって、特に現行流通紙幣を新紙幣に移行するときに用いる自動取引装置およびそのプログラムに関する。
【０００２】
【従来の技術】
従来の自動取引装置は、異なる種類の紙幣、例えば外国紙幣による取引に用いる場合は、鑑別部が鑑別する紙幣の金種識別情報を変更し、金種別入出金庫に収納する紙幣の金種を外国紙幣に切替えて自動取引を行っている（例えば、特許文献１参照。）。
【０００３】
【特許文献１】
特開２００２−１９７５１６号公報（第５頁
【００３４】−
【００４２】、第５図、第１０図）
【０００４】
【発明が解決しようとする課題】
しかしながら、上述した従来の技術においては、国や共通通貨圏のような特定の地域に限定された紙幣を取扱うことのみを考慮して、鑑定できる金種識別情報を変更して運用するものであるため、現行流通紙幣（以下、旧紙幣という。）を改刷して新しい紙幣（以下、新紙幣という）に移行させる場合等の同一金種の旧紙幣と新紙幣とを並行使用する環境での自動取引装置による取引に対応させるには自動取引装置を改造または新規に製作する必要があり、早期の対応を図ることができないという問題がある。
【０００５】
本発明は、上記の問題点を解決するためになされたもので、自動取引装置を旧紙幣と新紙幣とを並行使用する環境に容易に適合させる手段を提供することを目的とする。
【０００６】
【課題を解決するための手段】
本発明は、上記課題を解決するために、紙幣入出金部を備えた自動取引装置において、前記新紙幣と旧紙幣との流通割合に応じて紙幣運用モードを切替えることにより新紙幣と旧紙幣とを並行使用する取引を行うことを特徴とする。
【０００７】
また、紙幣入出金部を備えた自動取引装置の主制御部に、前記紙幣入出金部に入金される新紙幣の割合を監視する入金新紙幣監視ステップと、前記紙幣入出金部の金種別入出金庫に収納している新紙幣の割合を監視する収納新紙幣監視ステップと、同一金種の新紙幣と旧紙幣とを同一の金種別入出金庫に収納する同一金種新旧紙幣収納ステップと、前記入金新紙幣と収納新紙幣の割合に応じて、前記金種別入出金庫に収納する紙幣の金種を変更して紙幣運用モードを切替える紙幣運用モード切替ステップとを実行させることを特徴とする。
【０００８】
【発明の実施例】
以下に、図面を参照して本発明による自動取引装置の実施例について説明する。
第１実施例
図１は本発明の第１実施例における自動取引システムの構成を示すブロック図、図２はその自動取引装置の主な構成を示すブロック図である。
【０００９】
図１において、１は金融機関に設置されているホストコンピュータであり、銀行の支店等の店舗に設置されている自動取引装置２と専用回線や電話回線等の通信ネットワークを介して接続されており、顧客の口座番号やその暗証番号、口座残高等の顧客情報により顧客の口座を管理する。
【００１０】
３は金融機関の監視センタに設置されている監視情報端末であり、通信ネットワークに接続し、各店舗に設置されている複数の自動取引装置２の処理状況等を一括して管理する。
なお、監視情報端末３はホストコンピュータ１と同じ施設に設置するようにしてもよく、都道府県毎、都市毎またはこれらを複数まとめた広域の地域毎に設置するようにしてもよい。つまり設置場所は限定されるものではない
４は自動取引装置２の主制御部であり、通信部５によって通信ネットワークを介してホストコンピュータ１や監視情報端末３と接続しており、自動取引装置２内の各部を制御して取引制御を行うと共にデータ通信等も制御する。
【００１１】
６は記憶部であり、主制御部４が実行するプログラムや主制御部４による処理結果等が格納される。
７は顧客操作部であり、ＣＲＴまたはＬＣＤ等の表示画面とタッチパネル等との組合せ等で構成されており、取引選択画面等を表示する一方、タッチパネル等により顧客からの入力を受付ける。
【００１２】
８はカード取扱部であり、挿入された顧客のキャッシュカード等の取引カードの磁気ストライプに記録されている内容を読み書きすると共に取引明細票等を印刷する機能を有している。
９は通帳取扱部であり、挿入された顧客の通帳の磁気ストライプに記録されている内容を読み書きすると共に取引内容等を顧客の通帳に記帳する。
【００１３】
１０は紙幣入出金部であり、顧客が投入した紙幣を受入れ、これを鑑別、計数して収納し、顧客に払出す紙幣を排出する。
１１は硬貨入出金部であり、顧客が投入した硬貨を受入れ、これを鑑別、計数して収納し、顧客に払出す硬貨を排出する。
【００１４】
１２は係員操作部であり、自動取引装置２の背面側に設けられ、ＣＲＴまたはＬＣＤ等の表示画面とタッチパネル等との組合せ等で構成されており、係員が操作して電源の投入、遮断を行うと共に、タッチパネル等により係員からの取引モードの設定等の入力を受付ける。
【００１５】
図２において、２１は紙幣入出金部１０の紙幣入出金口であり、顧客が投入する紙幣を受入れると共に顧客へ払出す紙幣を集積して排出する。
２２は鑑別部であり、搬入された紙幣の金種を鑑定するための複数の金種識別情報が登録されており、紙幣入出金口２１から繰出されて搬送路２３ａ、２３ｂにより搬送された紙幣等の真偽、正損、金種等の鑑別を行うと共にその枚数を計数する。
【００１６】
搬送路２３ａ、２３ｂは、対向配置した一対のベルトまたは一対のローラに紙幣を挟持して搬送する搬送路である。搬送路２３ｃ、２３ｄ、２３ｅ、２３ｆも同様である。
２４ａ、２４ｂ、２４ｃは金種別入出金庫であり、それぞれに設定された金種を収納すると共に、顧客に払出すための紙幣を搬送路２３ｃへ繰出す機能を有している。
【００１７】
２５は補充回収カセットであり、自動取引装置２へ着脱可能に装着され、装填されている紙幣を金種別入出金庫２４ａ、２４ｂ、２４ｃ（以下、これらを総称する場合は金種別入出金庫２４という。）へ補充、および金種別入出金庫２４に収納されている紙幣を回収するための金庫であって、補充時に重送等により金種別入出金庫２４へ収納できなかった補充リジェクト紙幣を回収するための補充リジェクト庫２６を備えている。
【００１８】
２７は汎用収納庫であり、入金は受付けるが出金には用いない紙幣、つまり金種別入出金庫２４に設定されていない紙幣や真券ではあるが出金に使用できない損券および出金時に重送等により鑑別できなかった出金リジェクト紙幣が搬送されて収納される。
【００１９】
２８は取忘れ回収庫であり、紙幣入出金口２１に排出した紙幣が所定の時間を経過しても受取られなかった取忘れ紙幣が搬送されて回収される。
上述した構成の作用について説明する。
本実施例の自動取引装置２による取引の作動は、通常の自動取引装置による取引の作動と同様であるので、その説明を省略する。
【００２０】
なお、本実施例では日本紙幣を例に説明するが、外国紙幣の場合も同様である。
また、本実施例の自動取引装置２は１万、５千、２千、１千円紙幣の旧紙幣と改刷による１万、５千、１千円紙幣の新紙幣との７種類の新旧紙幣を並行使用する環境で顧客との取引を行う。
【００２１】
また、鑑別部２２にはこれら７種類の紙幣を鑑定するための金種識別情報が登録されており、これによって新紙幣と旧紙幣とを並行使用する取引を可能としている。
なお、旧紙幣と同一金種（貨幣の呼称単位の切下げ（デノミネーション）に伴う同価値の紙幣を含む。）の新紙幣は、紙幣入出金口２１、鑑別部２２、金種別入出金庫２４等が同時に取扱うことができる程度の形状に設定されている。
【００２２】
本実施例では、自動取引装置２の運用形態として、新旧紙幣混在モード、新紙幣少量モード、新紙幣多量モードおよび新紙幣モードの４種類の紙幣運用モードが設けられている。
新旧紙幣混在モードは、取引における入金および出金を新旧紙幣を混在させて行うものである。
【００２３】
以下に、図３を用いてその作動について説明する。
紙幣入出金部１０の金種別入出金庫２４は、金種別入出金庫２４ａ、２４ｂには新旧紙幣の１万円紙幣（以下、新旧万券という。）を、金種別入出金庫２４ｃには新旧紙幣の１千円紙幣（以下、新旧千券という。）を収納するように設定する。このように同一金種の新旧紙幣は同一の金種別入出金庫２４へ収納するようにする。
【００２４】
また、補充回収カセット２５には補充用の新旧万券、新旧千券が装填され、自動取引装置２に装着される。
顧客が入金等のために新旧紙幣を混在させて紙幣入出金口２１へ投入した場合は、主制御部４はこれを検知して投入された紙幣を紙幣入出金口２１から繰出して搬送路２３ａ、２３ｂを経由して鑑別部２２へ搬送する。
【００２５】
鑑別部２２では、搬送された紙幣の真偽、正損、新旧、金種等の鑑別を行い、その鑑別結果を主制御部４へ転送する。
主制御部４は、鑑別結果を基に鑑別された紙幣が真券でありかつ正券である場合は、その紙幣を搬送路２３ｃにより鑑別部２２から金種別入出金庫２４へ搬送し、その紙幣が新旧万券のときは金種別入出金庫２４ａまたは２４ｂへ、その紙幣が新旧千券のときは金種別入出金庫２４ｃへ搬送して収納する。
【００２６】
その紙幣が２千円紙幣（以下、２千券という。）や新旧５千円紙幣（以下、新旧５千券という。）または損券のときは、金種別入出金庫２４を通過させて搬送路２３ｅにより汎用収納庫２７へ搬送して収納する。
その紙幣が偽券や外国紙幣等の取引に使用できない異常紙幣の場合は、主制御部４は異常紙幣を搬送路２３ｂ、２３ａを逆転させて紙幣入出金口２１へ搬送して顧客に返却する。
【００２７】
顧客の要求金額や釣銭等を出金する場合は、主制御部４は必要な額に相当する新旧紙幣を金種別入出金庫２４からそれぞれ必要枚数繰出し、搬送路２３ｃ、鑑別部２２、搬送路２３ｂ、２３ａを経由して紙幣入出金口２１へ排出して顧客に引渡す。
【００２８】
この時、重送等による出金リジェクト紙幣は、鑑別部２２から搬送路２３ｂ、２３ａ、２３ｄ、２３ｅを経由して汎用収納庫２７へ搬送して収納する。
また、紙幣入出金口２１に取忘れ紙幣が存在するときは、搬送路２３ａ、２３ｂ、鑑別部２２、搬送路２３ｃ、２３ｅを経由して取忘れ回収庫２８へ搬送して回収する。
【００２９】
自動取引装置２へ紙幣を補充する場合、つまり係員が自動取引装置２の資金不足を補うために係員操作部１２の画面に表示されている業務選択画面から「補充」ボタンを押下した場合は、これを検知した主制御部４は、装着された補充回収カセット２５から紙幣を繰出して搬送路２３ａ、２３ｂにより鑑別部２２へ搬送し、鑑別された紙幣を搬送路２３ｃにより金種別に新旧紙幣を混在させてそれぞれの金種別入出金庫２４へ搬送して収納する。
【００３０】
また、金種別入出金庫２４の収納量検知センサが収納していた紙幣が不足しかけていることを知らせるためのニアエンド情報を発した場合は、これを検知した主制御部４は、補充回収カセット２５から紙幣を繰出して搬送路２３ａ、２３ｂにより鑑別部２２へ搬送し、該当する金種の新紙幣を搬送路２３ｃにより該当する金種別入出金庫２４へ搬送して収納する。
【００３１】
この時、鑑別部２２での鑑別結果が該当する金種でない場合は、搬送路２３ｃ、２３ｄ、２３ｆを経由して補充回収カセット２５へ返送して再び収納するようにする。
また、重送等による補充リジェクト紙幣は、搬送路２３ｃにより補充回収カセット２５の補充リジェクト庫２６へ搬送して回収する。
【００３２】
自動取引装置２から紙幣を回収する場合、つまり係員が自動取引装置２のから紙幣を取出すために係員操作部１２の画面に表示されている業務選択画面から「回収」ボタンを押下した場合は、これを検知した主制御部４は、金種別入出金庫２４に収納されている新旧紙幣を繰出して搬送路２３ｃ、鑑別部２２、搬送路２３ｂ、２３ａ、２３ｄ、２３ｆにより、汎用収納庫２７に収納されている紙幣を繰出して搬送路２３ｅ、２３ｃ、鑑別部２２、搬送路２３ｂ、２３ａ、２３ｄ、２３ｆにより補充回収カセット２５へ搬送して回収する。
【００３３】
また、金種別入出金庫２４の収納量検知センサが収納できる紙幣に余裕がなくなったことを知らせるためのニアフル情報を発した場合は、これを検知した主制御部４は、その金種別入出金庫２４から紙幣を繰出して搬送路２３ｃ、鑑別部２２、搬送路２３ｂ、２３ａ、２３ｄ、２３ｆにより補充回収カセット２５へ搬送して回収する。
【００３４】
このように、新旧紙幣混在モードは、流通している旧紙幣が比較的多い導入期に有用な紙幣運用モードである。
次に、新紙幣少量モードは、取引における入金を新旧紙幣を混在させて行い、出金を新紙幣のみで行うものである。
【００３５】
以下に、図４を用いてその作動について説明する。
金種別入出金庫２４は、金種別入出金庫２４ａを入金された旧紙幣（２千券を含む。）および新５千券を収納するようにして出金時は用いないように設定し、金種別入出金庫２４ｂには新万券を、金種別入出金庫２４ｃには新千券を収納するように設定する。補充回収カセット２５には補充用の新万券、新千券が装填され、自動取引装置２に装着される。
【００３６】
顧客が新旧紙幣を混在させて紙幣入出金口２１へ投入した場合は、主制御部４は、上記新旧紙幣混在モードと同様にして紙幣の鑑別結果に基づいて鑑別された紙幣が旧紙幣または新５千券のときは金種別入出金庫２４ａへ、その紙幣が新万券のときは金種別入出金庫２４ｂへ、その紙幣が新千券のときは金種別入出金庫２４ｃへ、その紙幣が損券のときは汎用収納庫２７へ搬送して収納する。その紙幣が異常紙幣の場合は上記新旧紙幣混在モードと同様にして顧客に返却する。
【００３７】
顧客の要求金額等を出金する場合は、主制御部４は必要な額に相当する新紙幣を金種別入出金庫２４ｂ、２４ｃからそれぞれ必要枚数繰出し、上記新旧紙幣混在モードと同様にして顧客に引渡す。出金リジェクト紙幣および取忘れ紙幣のときは、上記新旧紙幣混在モードと同様であるのでその説明を省略する。
【００３８】
係員が「補充」ボタンを押下した場合は、上記新旧紙幣混在モードと同様にして主制御部４は、補充回収カセット２５から新紙幣を繰出して金種別に新紙幣を金種別入出金庫２４ｂ、２４ｃへ搬送して収納する。この時のニアエンド情報を検知したとき、および該当する金種でない紙幣、補充リジェクト紙幣の場合は、上記新旧紙幣混在モードと同様であるのでその説明を省略する。
【００３９】
係員が「回収」ボタンを押下した場合は、上記新旧紙幣混在モードと同様にして主制御部４は、金種別入出金庫２４ａや汎用収納庫２７に収納されている紙幣を繰出して補充回収カセット２５へ搬送して回収する。他の金種別入出金庫２４ｂ、２４ｃの新紙幣を回収する必要がある場合は、係員の指示を検知して同様に回収する。ニアフル情報を検知した場合は上記新旧紙幣混在モードと同様であるのでその説明を省略する。
【００４０】
このように、新紙幣少量モードは、新紙幣の流通がある程度進み、金融機関への新紙幣の供給不足が解消され、旧紙幣を積極的に回収して新紙幣と旧紙幣との入替えを図る入替期に有用な紙幣運用モードである。
次に、新紙幣多量モードは、取引における入金の新旧紙幣の混在を許容し、出金は新紙幣のみで行うものである。
【００４１】
以下に、図５を用いてその作動について説明する。
金種別入出金庫２４は、金種別入出金庫２４ａ、２４ｂには新万券を、金種別入出金庫２４ｃには新千券を収納するように設定する。補充回収カセット２５には補充用の新万券、新千券が装填され、自動取引装置２に装着される。
【００４２】
顧客が新旧紙幣を混在させて紙幣入出金口２１へ投入した場合は、主制御部４は、上記新旧紙幣混在モードと同様にして紙幣の鑑別結果に基づいて鑑別された新万券や新千券をそれぞれ金種別入出金庫２４へ、その紙幣が旧紙幣、新５千券または損券のときは汎用収納庫２７へ搬送して収納する。その紙幣が異常紙幣の場合は、主制御部４は上記新旧紙幣混在モードと同様にして顧客に返却する。
【００４３】
顧客の要求金額等を出金する場合は、主制御部４は必要な額に相当する新紙幣を金種別入出金庫２４からそれぞれ必要枚数繰出し、上記新旧紙幣混在モードと同様にして顧客に引渡す。出金リジェクト紙幣および取忘れ紙幣のときは、上記新旧紙幣混在モードと同様であるのでその説明を省略する。
【００４４】
係員が「補充」ボタンを押下した場合は、上記新旧紙幣混在モードと同様にして主制御部４は、補充回収カセット２５から新紙幣を繰出して金種別に新紙幣を金種別入出金庫２４ａ、２４ｂ、２４ｃへ搬送して収納する。
この時のニアエンド情報を検知したとき、および該当する金種でない紙幣、補充リジェクト紙幣の場合は、上記新旧紙幣混在モードと同様であるのでその説明を省略する。
【００４５】
係員が「回収」ボタンを押下した場合は、前述の新旧紙幣混在モードと同様にして主制御部４は、金種別入出金庫２４や汎用収納庫２７から収納されている紙幣を繰出して補充回収カセット２５へ搬送して回収する。ニアフル情報を検知した場合は上記新旧紙幣混在モードと同様であるのでその説明を省略する。
【００４６】
このように、新紙幣多量モードは、新紙幣への入替えが進んで流通している新紙幣が比較的多くなり、旧紙幣が少なくなった晩期に有用な紙幣運用モードである。
最後に、新紙幣モードは、取引における入金、出金を新紙幣のみで行うものである。
【００４７】
以下に、図６を用いてその作動について説明する。
金種別入出金庫２４および補充回収カセット２５は、上記新紙幣多量モードと同様に設定される。
顧客が新旧紙幣を混在させて紙幣入出金口２１へ投入した場合は、主制御部４は、上記新旧紙幣混在モードと同様にして紙幣の鑑別結果に基づいて鑑別された新万券や新千券をそれぞれ金種別入出金庫２４へ、その紙幣が新５千券または損券のときは汎用収納庫２７へ搬送して収納する。その紙幣が旧紙幣または異常紙幣の場合は、上記新旧紙幣混在モードと同様にして顧客に返却する。
【００４８】
なお、顧客は旧紙幣が返却された場合は、所持している新紙幣を改めて投入するようにする。
その他の作動は前述の新紙幣多量モードと同様であるのでその説明を省略する。
【００４９】
このように、新紙幣モードは、新紙幣への移行がほぼ終了し、旧紙幣を入金しようとすると、受付けずに返却しても運用に支障が生じない終期以降に有用な紙幣運用モードである。
上記各紙幣運用モードの切替は、旧紙幣から新紙幣に移行する際の導入期、入替期、晩期、終期以降の各時期の新紙幣と旧紙幣との流通割合に応じて係員が係員操作部１２から適切な紙幣運用モードを選択して行う。
【００５０】
ここで、この紙幣運用モードの切替の作動を、新旧紙幣混在モードから新紙幣少量モードへの切替を例に説明する。
自動取引装置２は、新紙幣の導入期において新旧紙幣混在モードによって取引を行っている。
【００５１】
係員は、新紙幣の流通割合や金融機関へ供給される新紙幣の量等を考慮して新紙幣少量モードへの切替を判断し、係員操作部１２の図示しない業務選択画面から「紙幣運用モード切替」を選択する。
これを検知した主制御部４は、係員操作部１２の画面に例えば図７に示すような紙幣運用モード選択画面を表示する。
【００５２】
紙幣運用モード選択画面には、選択ボタンの押下を促す旨の文言および現在実行されている紙幣運用モードの表示、並びに選択ボタンとして新旧紙幣混在モードに設定するための「新旧紙幣混在」ボタン、新紙幣少量モードに設定するための「新紙幣少量」ボタン、新紙幣多量モードに設定するための「新紙幣多量」ボタン、新紙幣モードに設定するための「新紙幣」ボタンおよび紙幣運用モードの切替を取止めるための「取消」ボタンが表示される。
【００５３】
本実施例では、係員は係員操作部１２の画面から新紙幣少量モードを選択し、タッチパネルによって「新紙幣少量」ボタンを押下する。
なお、「取消」ボタンが押下された場合は、主制御部４は紙幣運用モードの切替作動を終了させ、今まで実行していた紙幣運用モードによる取引を継続する（以下同じ。）。
【００５４】
押下された選択ボタンをタッチパネルからの位置信号等により認識した主制御部４は、係員操作部１２の画面に図８に示す紙幣運用モード切替確認画面を表示する。
紙幣運用モード切替確認画面には、切替える紙幣運用モードの表示と確定操作の手順を示す文言および紙幣運用モードの切替を確定するための「確認」ボタンと紙幣運用モードへの切替を取止めるための「取消」ボタンが表示される。
【００５５】
係員は切替える紙幣運用モードを確定するために「確認」ボタンを押下する。「確認」ボタンが押下された信号を検知した主制御部４は、金種別入出金庫２４の設定を新紙幣少量モードに切替えるために係員操作部１２の画面に図９に示す紙幣回収確認画面を表示する。
【００５６】
紙幣回収確認画面には、補充回収カセット２５に紙幣を回収する旨と確定操作の手順を示す文言および紙幣回収の実行を確定するための「確認」ボタンと紙幣運用モードへの切替を取止めるための「取消」ボタンが表示される。
係員は紙幣回収の実行を確定するために「確認」ボタンを押下する。
【００５７】
「確認」ボタンが押下された信号を検知した主制御部４は、上記新旧紙幣混在モードの係員がする回収の場合で説明したのと同様にして各金種別入出金庫２４等に収納されている新旧紙幣を補充回収カセット２５へ回収する。
補充回収カセット２５への新旧紙幣の回収が終了すると、主制御部４は係員操作部１２の画面に図１０に示す紙幣補充依頼画面を表示する。
【００５８】
紙幣補充依頼画面には、紙幣の回収が終了した旨、補充回収カセット２５に新紙幣の装填を依頼する旨および新たな紙幣運用モードに対する運用上の注意点を示す文言、並びに表示内容を確認したことを入力するための「確認」ボタンが表示される。
【００５９】
係員は表示内容を確認して「確認」ボタンを押下し、新紙幣を装填した補充回収カセット２５を自動取引装置２へ装着する。
これを検知した主制御部４は、係員操作部１２の画面に図１１に示す紙幣補充確認画面を表示する。
【００６０】
紙幣補充確認画面には、補充回収カセット２５から紙幣を金種別入出金庫２４へ補充する旨と確定操作の手順を示す文言および紙幣補充の実行を確定するための「確認」ボタンと補充を取止めるための「取消」ボタンが表示される。
係員は紙幣補充の実行を確定するために「確認」ボタンを押下する。
【００６１】
なお、係員が装着する補充回収カセット２５を間違えた等の理由により「取消」ボタンが押下された場合は、主制御部４は係員操作部１２の画面に補充回収カセット２５の装着を促す旨の文言を表示して補充回収カセット２５が装着されるまで待機する。
【００６２】
「確認」ボタンが押下された信号を検知した主制御部４は、上記新紙幣少量モードの係員がする補充の場合で説明したのと同様にして金種別入出金庫２４ｂ、２４ｃへそれぞれの金種の新紙幣を収納する。
補充回収カセット２５からの補充が終了すると、主制御部４は係員操作部１２の画面に図１２に示す紙幣運用モード切替終了画面を表示する。
【００６３】
紙幣運用モード切替終了画面には、金種別入出金庫２４への紙幣の収納が終了した旨の文言と新たに運用を開始する紙幣運用モードの表示および表示内容を確認したことを入力するための「確認」ボタンが表示される。
係員は表示内容を確認して「確認」ボタンを押下し、主制御部４はこれを検知して紙幣運用モードの切替作動を終了する。
【００６４】
このようにして新紙幣少量モードへの切替が終了し、金種別入出金庫２４等が新紙幣少量モードに設定される。
他の紙幣運用モードへの切替の場合も同様である。この場合に、例えば新紙幣多量モードから新紙幣モードへの切替のように金種別入出金庫２４の設定を変更しなくても切替が可能な場合は、上記の補充回収カセット２５を用いた紙幣の回収や補充の実行を省略してもよい。
【００６５】
以上説明したように、本実施例では、鑑別部による新紙幣と旧紙幣の鑑別を可能として新旧紙幣の並行使用による取引を可能とし、新紙幣の流通割合に応じて紙幣運用モードを切替えるようにしたことによって、自動取引装置の大幅な改造を行う必要がなくなり、旧紙幣と新紙幣とを並行使用する環境に容易に適合させることができ、新紙幣への移行を円滑に行うことができると共に新紙幣への対応を早期に実現することができる。
【００６６】
また、同一金種の新紙幣と旧紙幣とを同一の金種別入出金庫へ収納するようにしたことによって、金種別入出金庫の増設が不要になり、自動取引装置の大型化を防止して装置の簡素化を図ることができる。
また、新旧紙幣混在モード、新紙幣少量モード、新紙幣多量モードおよび新紙幣モードからなる紙幣運用モードを設け、新紙幣の流通割合に応じてこれを選択して設定するようにしたことによって、旧紙幣から新紙幣に移行する際の各時期に応じて適切な運用形態をとることができ、金融機関や顧客の要望に沿った新旧紙幣の並行使用による取引が可能となる。
【００６７】
更に、紙幣運用モードの切替を係員操作部に選択可能に表示して設定するようにしたことによって、紙幣運用モードの切替を即時に行うことができると共に係員の負担を軽減することができる。
第２実施例
図１３は第２実施例の紙幣運用モード切替処理を示すフローチャート、図１４は第２実施例の紙幣運用モード切替判定基準である。
【００６８】
本実施例の構成は、上記第１実施例の図１および図２に示す自動取引装置２および紙幣入出金部１０と同様である。
なお、上記第１実施例と同様の部分は、同一の符号を付してその説明を省略する。
【００６９】
本実施例の自動取引装置２の記憶部６には、通常の「業務実行プログラム」に加えて、第１実施例の紙幣運用モードを自動的に切替えるための「紙幣運用モード切替プログラム」および図１４に示す紙幣運用モード切替判定基準が予め格納されている。
【００７０】
記憶部６には、上記に加えて入金された紙幣の中で出金に用いるために金種別入出金庫２４に収納する新紙幣と旧紙幣の枚数を累積して保存する入金紙幣保存エリア、各金種別入出金庫２４に収納されている出金に用いる紙幣の新紙幣と旧紙幣の枚数を記録する収納紙幣記録エリアおよびこれらの累積値や記録値を基にした１日の新紙幣入金割合や新紙幣収納割合の履歴を格納するための新紙幣履歴格納エリアが確保されている。
【００７１】
図１４において、紙幣運用モード切替判定基準は、新紙幣の流通割合を代表させるための指標としての新紙幣入金割合および金融機関等への新紙幣の供給割合を代表させるための指標としての新紙幣収納割合を基に、各紙幣運用モードに対応させた各指標の基準値の組合せを設定して作成する。
【００７２】
なお、新旧紙幣混在モードの新紙幣入金割合は、新紙幣の流通割合が通常金融機関への新紙幣の供給割合を超えることがないため、特定の基準値を設けていないが、基準値を設けるのであれば新紙幣収納割合と同程度の値を基準値とすればよい。
【００７３】
また、各基準値は図１４に例示した基準値に限らず、本実施例の紙幣運用モードを運用する金融機関等の実情に合わせて設定することが望ましい。
更に、新紙幣の流通割合や供給割合を代表させるための指標は、上記に例示した新紙幣入金割合や新紙幣収納割合に限らず、本実施例の紙幣運用モードを運用する国や地域等の環境に合わせた指標とすることが望ましい。
【００７４】
上記の構成の作用について説明する。
本実施例の自動取引装置２は、新紙幣と旧紙幣との並行使用の開始に際し、各金種別入出金庫２４に図３に示す同一金種の新旧紙幣を混在させた紙幣を金種別に収納して「紙幣運用モード切替プログラム」による新旧紙幣混在モードの運用を開始している。
【００７５】
また、鑑別部２２には上記第１実施例と同様に７種類の金種識別情報が登録されている。
以下に、本実施例の「紙幣運用モード切替プログラム」による紙幣運用モード切替処理について図１３に示すフローチャートを用い、Ｓで示すステップに従って説明する。
【００７６】
Ｓ１、金融機関の始業時等に金融機関の係員は、係員操作部１２により自動取引装置２へ電源を投入して自動取引装置２の記憶部６に格納されている「業務実行プログラム」を起動する。
Ｓ２、業務実行プログラムが起動すると、自動取引装置２の主制御部４は設定されている紙幣運用モード（本ステップでは新旧紙幣混在モード）による通常の取引処理の実行を開始し、これと並行して「紙幣運用モード切替プログラム」による紙幣運用モード切替処理の実行を開始する。
【００７７】
すなわち、主制御部４は、通常取引処理からの紙幣や釣銭の繰出開始信号の転送を待つ出金待ち状態で待機し、繰出開始信号が転送されたことを契機としてステップＳ６へ移行する。繰出開始信号が転送されないときは、ステップＳ３へ移行する。
【００７８】
Ｓ３、主制御部４は、係員の「補充」ボタンの押下または金種別入出金庫２４からのニアエンド情報の発信による補充指示信号の検知を待つ補充指示待ち状態で待機し、補充指示信号を検知したことを契機としてステップＳ６へ移行する。補充指示信号を検知しなかったときは、ステップＳ４へ移行する。
【００７９】
Ｓ４、主制御部４は、通常取引処理からの紙幣入金信号の転送を待つ入金待ち状態で待機し、紙幣入金信号が転送されたことを契機としてステップＳ５へ移行する。紙幣入金信号が転送されないときは、上記ステップＳ２、Ｓ３、Ｓ４による待機を継続する。
【００８０】
Ｓ５、紙幣入金信号により顧客の入金を認識した主制御部４は、通常取引処理による鑑別部２２での鑑別結果の転送を受け、これを基に出金に用いるための金種毎の新紙幣と旧紙幣（図３の例では万券と千券）の枚数を計数して記憶部６の入金紙幣保存エリアに保存されているこれまでの取引で入金された新紙幣と旧紙幣の累積枚数に金種毎に加算し、新紙幣の金種毎の入金割合を監視する。
【００８１】
Ｓ６、主制御部４は、金種別入出金庫２４から紙幣が繰出された場合、つまり通常取引処理による出金処理が行われた場合は、鑑別部２２での出金に用いた紙幣の鑑別結果の転送を受け、これを基に金種毎の新紙幣と旧紙幣の枚数を計数する。
【００８２】
金種別入出金庫２４へ紙幣が収納された場合、つまり通常取引処理による入金処理または係員による補充処理が行われた場合は、鑑別部２２での鑑別結果の転送を受け、これを基に金種毎の新紙幣と旧紙幣の枚数を計数する。
そして、主制御部４は上記の計数結果を基に記憶部６の収納紙幣記録エリアに記録されている出金に用いるための金種毎の新紙幣と旧紙幣の枚数を更新し、金種毎の新紙幣の収納割合を監視する。
【００８３】
Ｓ７、以上のような新紙幣の入金割合と出金割合の監視を継続しながら主制御部４は、時刻等によって通常取引処理の終了を判断し、通常取引処理が継続している場合はステップＳ２へ戻って上記の待機を継続し、通常取引処理が終了した場合はステップＳ８へ移行する。
【００８４】
Ｓ８、主制御部４は１日の通常取引処理を終了させ、「業務実行プログラム」を終了させてステップＳ９へ移行する。
Ｓ９、主制御部４は、記憶部６の入金紙幣保存エリアに保存されている１日に入金された新紙幣と旧紙幣の枚数の金種毎の累積値、および収納紙幣記録エリアに記録されている金種別入出金庫２４に残留している新紙幣と旧紙幣の枚数の金種毎の記録値を読出し、これを基に入金された金種毎の累積入金紙幣枚数に対する新紙幣の累積枚数の割合である１日の金種毎の新紙幣入金割合、および金種別入出金庫２４に収納されている金種毎の収納紙幣枚数に対する新紙幣の記録値の割合である１日の金種毎の新紙幣収納割合を算出する。
【００８５】
Ｓ１０、主制御部４は、算出された金種毎の新紙幣収納割合によって出金に用いるための全ての金種の新紙幣収納割合が所定の割合、例えば９０％以上であればステップＳ１３へ、９０％未満であればステップＳ１１へ移行する。
Ｓ１１、主制御部４は、記録部６の新紙幣履歴格納エリアに格納されている新紙幣収納割合の履歴を参照し、新紙幣収納割合が９０％未満の状態が所定の回数、例えば７回連続している場合はステップＳ１２へ、７回未満の場合は現在の紙幣運用モードの設定を維持してステップＳ２０へ移行する。
【００８６】
Ｓ１２、主制御部４は、紙幣運用モードの設定を新旧紙幣混在モードへ切替えて設定し、このことを係員操作部１２の画面または店舗内に設置されている図示しない管理端末の画面に表示する。
なお、本実施例では現在の紙幣運用モードの設定が新旧紙幣混在モードであるので紙幣運用モードの設定は変化しないが、例えば現在の紙幣運用モードの設定が後述のステップによって新紙幣少量モードに切替わっている場合は、このステップにより新旧紙幣混在モードに戻されて設定される。
【００８７】
この場合に、主制御部４は図４に示す金種別入出金庫２４ａに設定された金種、つまり旧紙幣および新５千券を繰出して補充回収カセット２５へ回収し、金種別入出金庫２４の金種の設定を図３に示す新旧紙幣混在モードの設定に変更した後に、改めて補充回収カセット２５から紙幣を繰出し、旧万券、旧千券をそれぞれの金種別入出金庫２４へ、新旧５千券、２千券を汎用収納庫および／もしくは補充リジェクト庫２６へ収納して新旧紙幣混在モードの運用に備える。
【００８８】
また、補充回収カセット２５への紙幣の装填は、係員が係員操作部１２の画面または管理端末の画面に表示されている現在の紙幣運用モードを参照して行うようにする。
Ｓ１３、主制御部４は、算出された金種毎の新紙幣入金割合によって出金に用いるための全ての金種の新紙幣入金割合が所定の割合、例えば９０％以上であればステップＳ１６へ、９０％未満であればステップＳ１４へ移行する。
【００８９】
Ｓ１４、主制御部４は、記録部６の新紙幣履歴格納エリアに格納されている新紙幣入金割合の履歴を参照し、新紙幣入金割合が９０％未満の状態が所定の回数、例えば７回連続している場合はステップＳ１５へ、７回未満の場合は現在の紙幣運用モードの設定を維持してステップＳ２０へ移行する。
【００９０】
Ｓ１５、主制御部４は、紙幣運用モードの設定を新紙幣少量モードへ切替えて設定し、このことを係員操作部１２の画面または店舗内に設置されている図示しない管理端末の画面に表示する。
これにより本実施例では、紙幣運用モードの設定が現在の新旧紙幣混在モードから新紙幣少量モードに切替わる。
【００９１】
この場合に、主制御部４は図３に示す金種別入出金庫２４に設定された新旧万券や新旧千券を繰出して補充回収カセット２５へ回収し、金種別入出金庫２４の金種の設定を図４に示す新紙幣少量モードの設定に変更した後に、改めて補充回収カセット２５から紙幣を繰出し、新万券、新千券をそれぞれ金種別入出金庫２４ｂ、２４ｃへ、旧万券、旧千券を金種別入出金庫２４ａへ収納して新紙幣少量モードの運用に備える。
【００９２】
また、補充回収カセット２５への紙幣の装填は、係員が係員操作部１２の画面または管理端末の画面に表示されている現在の紙幣運用モードを参照して行うようにする。
現在の紙幣運用モードの設定が後述のステップによって新紙幣多量モードに切替わっている場合は、このステップにより新紙幣少量モードに戻されて設定される。
【００９３】
この場合に、主制御部４は図５に示す金種別入出金庫２４ａに設定された新万券を繰出して補充回収カセット２５へ回収し、金種別入出金庫２４の金種の設定を図４に示す新紙幣少量モードの設定に変更した後に、改めて補充回収カセット２５から紙幣を繰出し、金種別入出金庫２４ｂの新万券が規定量となるように収納して新紙幣少量モードの運用に備える。
【００９４】
また、補充回収カセット２５への紙幣の装填は上記と同様にして行う。
このように本実施例では、紙幣運用モードの設定の切替に際し、所定の回数の連続を切替のための条件に加えることにより、紙幣運用モードの設定の交番にヒステリシスをもたせて日毎に紙幣運用モードの設定が切替わることを防止するようにしている。
【００９５】
Ｓ１６、主制御部４は、算出された金種毎の新紙幣入金割合によって出金に用いるための全ての金種の新紙幣入金割合が所定の割合、例えば９８％以上であればステップＳ１９へ、９８％未満であればステップＳ１７へ移行する。
Ｓ１７、主制御部４は、記録部６の新紙幣履歴格納エリアに格納されている新紙幣入金割合の履歴を参照し、新紙幣入金割合が９８％未満の状態が所定の回数、例えば７回連続している場合はステップＳ１８へ、７回未満の場合は現在の紙幣運用モードの設定を維持してステップＳ２０へ移行する。
【００９６】
Ｓ１８、主制御部４は、紙幣運用モードの設定を新紙幣多量モードへ切替えて設定し、このことを係員操作部１２の画面または店舗内に設置されている図示しない管理端末の画面に表示する。
これにより現在の紙幣運用モードの設定が新紙幣少量モードである場合は、新紙幣多量モードに切替わる。
【００９７】
この場合に、主制御部４は図４に示す金種別入出金庫２４ａに設定された旧紙幣および新５千券を繰出して補充回収カセット２５へ回収し、金種別入出金庫２４の金種の設定を図５に示す新紙幣多量モードの設定に変更して新紙幣多量モードの運用に備える。
【００９８】
また、補充回収カセット２５への紙幣の装填は、係員が係員操作部１２の画面または管理端末の画面に表示されている現在の紙幣運用モードを参照して行うようにする。
現在の紙幣運用モードの設定が新紙幣モードである場合は新紙幣多量モードに戻される。
【００９９】
この場合に、主制御部４は各金種別入出金庫２４に設定されている金種はそのままにし、新紙幣モードでは拒否している旧紙幣による入金を許容するように入金金種の設定を変更する。
Ｓ１９、主制御部４は、紙幣運用モードの設定を新紙幣モードへ切替えて設定し、このことを係員操作部１２の画面または店舗内に設置されている図示しない管理端末の画面に表示する。
【０１００】
この場合に、主制御部４は各金種別入出金庫２４に設定されている金種はそのままにし、新紙幣多量モードでは許容している旧紙幣による入金を拒否するように入金金種の設定を変更する。
Ｓ２０、主制御部４は、金種毎の新紙幣入金割合と新紙幣収納割合を新紙幣履歴格納エリアに格納し、その後に入金紙幣保存エリアと収納紙幣記録エリアのデータを消去して紙幣運用モード切替処理を終了させる。
【０１０１】
この場合に、新紙幣履歴格納エリアに格納された１日毎の新紙幣入金割合と新紙幣収納割合は、自動取引装置２の電源が遮断された後にもバックアップ電源等によりその記憶が維持されるように構成されている。
なお、係員による日常の補充、回収の操作および自動取引装置２の通常取引処理終了後のその他の日常の処理は、通常の場合と同様である。
【０１０２】
また、自動取引装置２の紙幣運用モード切替処理の打切りは、上記ステップＳ１９において新紙幣モードへの切替が行われた後、または一定の回数、例えば３０回連続した後に行うようにしてもよく、この処理を継続して運用するようにしてもよい。
【０１０３】
更に、上記ステップＳ１２、Ｓ１５、Ｓ１８において補充回収カセット２５が満杯になった場合は、警報または管理端末への表示等に係員に知らせ補充回収カセット２５の交換を依頼するようにする。
本実施例では、所定の回数を曜日による顧客の業種等の変動を考慮して７日、つまり７回として説明したが、所定の回数は例示した７回に限らず、本実施例の自動取引装置２を設置する金融機関等の実情に合わせて設定することが望ましい。上記打切りの場合の一定の回数も同様である。
【０１０４】
また、紙幣運用モードは新紙幣の流通割合等に応じて交番するように運用するとして説明したが、一旦切替えた後は元に戻さない運用であってもよく、交番の行き戻りで所定の回数をそれぞれ別に設定して運用するようにしてもよい。
更に、新紙幣入金割合と新紙幣収納割合の算出および紙幣運用モードの切替の判断は１日毎に行うとして説明したが、１週毎、１月毎であってもよく、所定の時間毎であってもよい。
【０１０５】
更に、新紙幣収納割合の算出は、金種別入出金庫２４に残留している紙幣の割合を算出するとして説明したが、金種別入出金庫２４に収納された紙幣の累積値を基に算出するようにしてもよい。
以上説明したように、本実施例では、第１実施例の効果に加えて、自動取引装置が紙幣運用モード切替判定基準に基づいて紙幣運用モードを自動的に切替えるようにしたことによって、係員等の紙幣運用モード切替に伴う負担や新紙幣の流通割合の監視に伴う負担を軽減することができる。
【０１０６】
また、自動取引装置が自動的に紙幣運用モードを切替えるようにしたことによって、地域的に新紙幣の流通割合が偏在する場合に地域的な格差を是正することができ、その地域の新紙幣の流通割合に即した自動取引装置の運用を図ることができる。
【０１０７】
更に、紙幣運用モードの切替をヒステリシスを持たせて交番させるようにしたことによって、短期的に紙幣運用モードがめまぐるしく切替わることによる顧客や係員の混乱等を防止することができ、無用の混乱を未然に防止して安定した自動取引装置の運用を図ることができる。
【０１０８】
なお、上記第２実施例で示した新紙幣入金割合や新紙幣収納割合等の新紙幣情報を監視情報端末に送信して集中管理するようにし、監視情報端末が新紙幣情報を基に地域的な状況を総合して判断し、紙幣運用モード切替を自動取引装置に指示して自動取引装置に第２実施例で示した金種別入出金庫等の金種の入替え作動を行わせるようにしてもよい。
【０１０９】
これによって、店舗毎または自動取引装置毎に異なる運用を防止することができ、特に晩期以降の紙幣運用モードの設定に有効である。
また、紙幣運用モードの設定は、第１実施例の係員による設定、第２実施例の自動取引装置による自動設定および上記の監視情報端末による設定の１部または全てを併用して運用するようにしても、本発明の効果を損なうものではない。
【０１１０】
第３実施例
以下に、上記第１実施例の新旧紙幣混在モードと同様の時期、つまり流通している旧紙幣が比較的多い導入期に、国等の要請等により新紙幣の流通の促進を図ることが必要な場合に出金時に新紙幣を優先させて出金する新旧紙幣混在モードの１態様について説明する。
【０１１１】
図１５は第３実施例の自動取引装置の主な構成を示すブロック図である。
なお、第１実施例と同様の部分は、同一の符号を付してその説明を省略する。図１５において、３１ａ、３１ｂ、３１ｃは一時保留部（以下、これらを総称する場合は一時保留部３１という。）であり、通常の自動取引装置２に設けられている一時保留部であって、各金種別入出金庫２４ａ、２４ｂ、２４ｃの上部に設けられ、それぞれの金種別入出金庫２４ａ、２４ｂ、２４ｃに設定された金種の紙幣を集積して一時保留すると共に、一時保留した紙幣を搬送路２３ｃへ繰出す機能およびそれぞれの金種別入出金庫２４ａ、２４ｂ、２４ｃへ放出する機能を有している。
【０１１２】
上記の構成の作用について説明する。
本実施例の作動は、基本的には第１実施例の新旧紙幣混在モードの作動と同様であるが、顧客の要求金額や釣銭等を出金する場合に新紙幣を優先させて出金するために以下に示す作動を行う。
【０１１３】
本実施例の新旧紙幣混在モードは、取引における入金は新旧紙幣を混在させて行い、出金は上記のように新紙幣を優先させて行うが、出金のための紙幣が不足する場合は旧紙幣の出金を許容するものである。
以下に、図１６を用いてその作動について説明する。
【０１１４】
紙幣入出金部１０の金種別入出金庫２４は、第１実施例の新旧紙幣混在モードと同様に金種別入出金庫２４ａ、２４ｂには新旧万券を、金種別入出金庫２４ｃには新旧千券を収納するように設定するが、それぞれの金種別入出金庫２４には主に新紙幣を収納するように運用し、旧紙幣の出金が必要になった場合に旧紙幣の収納を許容するように運用される。
【０１１５】
また、一時保留部３１に一時保留する紙幣は、一時保留部３１ａに汎用収納庫２７へ収納する紙幣である２千券、新旧５千券、損券を、一時保留部３１ｂに新旧万券を、一時保留部３１ｃに新旧千券を集積するように設定する。
更に、補充回収カセット２５には、第１実施例の新旧紙幣混在モードと同様に補充用の新旧万券、新旧千券が装填され、自動取引装置２に装着される。
【０１１６】
顧客が新旧紙幣を混在させて紙幣入出金口２１へ投入した場合は、主制御部４は、第１実施例の新旧紙幣混在モードと同様にして投入された紙幣を鑑別部２２へ搬送し、鑑別部２２での鑑別結果を基に鑑別された紙幣が真券である場合は、その紙幣を搬送路２３ｃにより鑑別部２２から一時保留部３１へ搬送し、その紙幣が２千券や新旧５千券または損券のときは一時保留部３１ａへ、その紙幣が新旧万券のときは一時保留部３１ｂへ、その紙幣が新旧千券のときは一時保留部３１ｃへ搬送して集積する。
【０１１７】
その紙幣が偽券や外国紙幣等の取引に使用できない異常紙幣の場合は、主制御部４は異常紙幣を搬送路２３ｂ、２３ａを逆転させて紙幣入出金口２１へ搬送して顧客に返却する。
そして、入金取引等の成立時に、主制御部４は一時保留部３１に集積されている紙幣を以下のようにして収納する。
【０１１８】
すなわち、主制御部４は一時保留部３１ｂ、３１ｃに集積されている紙幣の鑑別部２２での鑑別結果が全て新紙幣の場合は、これらの紙幣をそれぞれの金種別入出金庫２４ｂ、２４ｃへ放出して収納する。
鑑別結果が全て旧紙幣または旧紙幣を含む場合は、一時保留部３１ｂ、３１ｃから搬送路２３ｃ、２３ｂ、２３ａにより一旦紙幣入出金口２１へ集積し、再度鑑別部２２へ搬送して新旧の鑑別を行い、鑑別された紙幣が新万券または新千券の場合は再び一時保留部３１ｂまたは３１ｃへ搬送してそれぞれの一時保留部３１を介してそれぞれの金種別入出金庫２４へ収納する。
【０１１９】
鑑別された紙幣が旧万券または旧千券の場合は、鑑別部２２から搬送路２３ｃ２３ｄ、２３ｆを経由して補充回収カセット２５へ搬送して収納する。
一時保留部３１ａに集積されている２千券や新旧５千券、損券は、一時保留部３１ａから搬送路２３ｃへ繰出して搬送路２３ｅにより汎用一時保留部３１へ搬送して集積する。
【０１２０】
なお、入金取引等が成立しなかった場合は、主制御部４は一時保留部３１に集積されている紙幣を紙幣入出金口２１へ搬送して顧客に返却する。
このようにして、各金種別入出金庫２４には投入された新千券や新万券が収納される。
【０１２１】
この場合に、金種別入出金庫２３ｂの新万券の収納枚数が所定の枚数を超えている場合は、一時保留部３１ａへ新旧万券を、一時保留部３１ｂへ２千券や新旧５千券、損券を集積するように設定を変更するようにしてもよい。つまり同じ紙幣を収納する金種別入出金庫２４が複数存在する場合には、そのどれかの一時保留部３１に汎用収納庫２７へ収納する紙幣を集積するようにすれば、同様の作動を行うことができる。
【０１２２】
顧客の要求金額や釣銭等を出金する場合は、主制御部４は、第１実施例の新旧紙幣混在モードと同様にして必要枚数の紙幣を金種別入出金庫２４から繰出して紙幣入出金口２１へ排出して顧客に引渡す。この場合に、各金種別入出金庫２４には新千券と新万券が収納されているので顧客には新紙幣が引渡される。
【０１２３】
重送等による出金リジェクト紙幣および取忘れ紙幣の場合の作動は、第１実施例の新旧紙幣混在モードの場合の作動と同様であるのでその説明を省略する。
自動取引装置２へ紙幣を補充する場合の作動は、第１実施例の新旧紙幣混在モードの場合の作動と同様であるが、鑑別部２２で新千券、新万券と鑑別された紙幣が一時保留部３１へ搬送されてそれぞれの金種別入出金庫２４へ収納され、旧紙幣は再び補充回収カセット２５へ収納される。
【０１２４】
金種別入出金庫２４がニアエンド情報を発した場合の補充の作動も上記と同様である。
自動取引装置２から紙幣を回収する場合および金種別入出金庫２４がニアフル情報を発した場合の作動は、第１実施例の新旧紙幣混在モードの場合の作動と同様であるのでその説明を省略する。
【０１２５】
以上のようにして、新旧紙幣混在モードにおける顧客への新紙幣の出金が行われるが、市場に存在する新紙幣が少ない環境での新紙幣の出金であるので、金種別入出金庫の新紙幣が不足して新紙幣の出金に応じられない状況となる場合がある。
すなわち、上記の金種別入出金庫２４がニアエンド情報を発した場合に、主制御部４は、例えば第２実施例のステップＳ５およびＳ６で説明した記憶部６に記録されている出金に用いるための金種毎の新紙幣と旧紙幣の枚数等を参照し、補充回収金庫２５に新千券および／もしくは新万券が存在しない、または非常に少ないと判定される場合は、補充回収金庫２５から金種別入出金庫２４へ補充する紙幣を新旧千券と新旧万券に切替え、つまり第１実施例の新旧紙幣混在モードの状態に戻し、上記と同様にして金種別入出金庫２４ａ、２４ｂには旧万券、金種別入出金庫２４ｃには旧千券の混在を許容してそれぞれの紙幣を補充し、出金時には旧万券や新万券の混在を許容して出金取引等を行う。
【０１２６】
そして、入金取引時に多量の新紙幣が投入された場合等に、出金取引等のために十分な新紙幣が金種別入出金庫２４に収納されたと判定したときに、再び本実施例による新紙幣を優先して出金する新旧紙幣混在モードを実行する。
この場合に、旧紙幣が出金紙幣に混在する場合が想定されるが、混在を許容した状態で出金を継続するようにしてもよく、出金紙幣の鑑別時に旧紙幣を補充回収カセット２５へ搬送して収納し、新紙幣のみを出金するようにしてもよい。
【０１２７】
いすれの場合でも、第２実施例で説明したように通常行われている係員による日常の補充、回収の操作等により本実施例の初期の状態に戻すことができ、新紙幣を優先して出金する新旧紙幣混在モードを継続することができる。
なお、旧紙幣の混在を許容した出金への切替えは、係員の判断によって行うようにしてもよい。
【０１２８】
このように、本実施例による新旧紙幣混在モードの１態様は、導入期における新紙幣の流通の促進に有用な紙幣運用モードである。
本実施例による新紙幣を優先して出金する新旧紙幣混在モードに設定する場合は、第１実施例で説明した各紙幣運用モードの切替において、係員操作部１２に図７に示す紙幣運用モード選択画面を表示するときに、新旧紙幣混在モードに設定するための「新旧紙幣混在」ボタンの近傍に「新紙幣優先出金」ボタンを設けて係員に選択させるようにしてもよく、係員が「新旧紙幣混在」ボタンを選択した後に「普通モード」と「新紙幣優先出金モード」を選択する次画面を表示して選択させるようにしてもよい。
【０１２９】
また、第２実施例における自動取引装置２による自動での紙幣運用モード切替処理（図１３）においては、最初に実行する新旧紙幣混在モードを第１実施例または国等の要請に応じて本実施例の新旧紙幣混在モードに設定して実行するようにする。
【０１３０】
または、最初に実行する新旧紙幣混在モードを第１実施例の新旧紙幣混在モードに設定しておき、ステップＳ１２において新紙幣少量モードから新旧紙幣混在モードに戻す場合に本実施例の新旧紙幣混在モードに戻すようにしてもよく、適切な収納割合を設定してステップＳ１０〜Ｓ１２と同様の判断ルーチンを追加して切替えるようにしてもよい。
【０１３１】
なお、本実施例で示した一時保留部３１が、上記第１および第２実施例において設置されている場合は、第１および第２実施例の作動の中で紙幣入出金庫２４等へ紙幣を収納する場合に一時保留部３１等を介して収納するようにすれば、上記第１および第２実施例と同様の効果を奏することができる。
【０１３２】
また、入金時において汎用収納庫２７へ収納する紙幣は、一時保留部３１ａ等に集積するとして説明したが、汎用収納庫２７の上部に汎用一時保留部を設けて汎用収納庫２７に設定されている紙幣を集積して一時保留すると共に、一時保留した紙幣を入金成立時に汎用収納庫２７へ放出するようにしてもよい。
【０１３３】
以上説明したように、本実施例では、第１および第２実施例の効果に加えて、新紙幣の導入期においても新紙幣を優先して出金するようにし、新紙幣が不足した場合は旧紙幣の混在を許容して出金するようにしたことによって、新紙幣の導入期から新紙幣の流通の促進を図ることができると共に新紙幣が不足した場合においても円滑な紙幣の運用を行うことができる。
【０１３４】
また、紙幣の入金時に一時保留した紙幣を再鑑別して金種別入出金庫に予め新紙幣を収納するようにしたことによって、出金取引の際の出金処理の効率化を図ることができる。
なお、新紙幣を優先して出金する場合に、出金処理の場合の鑑別部で新旧紙幣を鑑別し、新紙幣を紙幣入出金口へ搬送して顧客に引渡し、旧紙幣は補充回収カセットへ収納するようにしてもよい。
【０１３５】
これにより、一時保留部を装備していない自動取引装置においても新紙幣を優先して出金する新旧紙幣混在モードを実現することが可能となる。
上記各実施例においては、本発明を適用する自動取引装置として現金自動取引装置を例に説明したが、自動取引装置は現金自動取引装置に限らず、無人契約機やマルチメディア端末、自動券売機等の新旧紙幣を並行使用して顧客との取引を行う必要がある自動取引装置であれば、どのような自動取引装置に適用してもよい。
【０１３６】
この場合の金種別紙幣入出金庫等の設定は、それぞれの自動取引装置の構成に適合させて設定するようにする。
【０１３７】
【発明の効果】
以上述べたように、本発明は、鑑別部による新紙幣と旧紙幣の鑑別を可能として新旧紙幣の並行使用による取引を可能とし、新紙幣の流通割合に応じて紙幣運用モードを切替えるようにしたことによって、旧紙幣と新紙幣とを並行使用する環境に容易に適合させることができ、新紙幣への移行を円滑に行うことができると共に新紙幣への対応を早期に実現することができるという効果が得られる。
【図面の簡単な説明】
【図１】本発明の第１実施例における自動取引システムの構成を示すブロック図
【図２】第１実施例の自動取引装置の主な構成を示すブロック図
【図３】第１実施例の新旧紙幣混在モードの設定を示す説明図
【図４】第１実施例の新紙幣少量モードの設定を示す説明図
【図５】第１実施例の新紙幣多量モードの設定を示す説明図
【図６】第１実施例の新紙幣モードの設定を示す説明図
【図７】第１実施例の紙幣運用モード選択画面表示例
【図８】第１実施例の紙幣運用モード切替確認画面表示例
【図９】第１実施例の紙幣回収確認画面表示例
【図１０】第１実施例の紙幣補充依頼画面表示例
【図１１】第１実施例の紙幣補充確認画面表示例
【図１２】第１実施例の紙幣運用モード切替終了画面表示例
【図１３】第２実施例の紙幣運用モード切替処理を示すフローチャート
【図１４】第２実施例の紙幣運用モード切替判定基準
【図１５】第３実施例の自動取引装置の主な構成を示すブロック図
【図１６】第３実施例の新旧紙幣混在モードの設定を示す説明図
【符号の説明】
１    ホストコンピュータ
２    自動取引装置
３    監視情報端末
４    主制御部
５    通信部
６    記憶部
７    顧客操作部
８    カード取扱部
９    通帳取扱部
１０  紙幣入出金部
１１  硬貨入出金部
１２  係員操作部
２１  紙幣入出金口
２２  鑑別部
２３ａ、２３ｂ、２３ｃ、２３ｄ、２３ｅ、２３ｆ  搬送路
２４ａ、２４ｂ、２４ｃ  金種別入出金庫
２５  補充回収カセット
２６  補充リジェクト庫
２７  汎用収納庫
２８  取忘れ回収庫
３１ａ、３１ｂ、３１ｃ  一時保留部
【図１】
2004252941.tif 000003
【図２】
2004252941.tif 000004
【図３】
2004252941.tif 000005
【図４】
2004252941.tif 000006
【図５】
2004252941.tif 000007
【図６】
2004252941.tif 000008
【図７】
2004252941.tif 000009
【図８】
2004252941.tif 000010
【図９】
2004252941.tif 000011
【図１０】
2004252941.tif 000012
【図１１】
2004252941.tif 000013
【図１２】
2004252941.tif 000014
【図１３】
2004252941.tif 000015
【図１４】
2004252941.tif 000016
【図１５】
2004252941.tif 000017
【図１６】
2004252941.tif 000018